(57)【要約】【課題】  衣服用ハンガーの側部側に衣服の性状情報を表示できる衣服表示装置及び衣服用ハンガーの提供を課題とした。【解決手段】  衣服表示装置１Ａは、柱状体を成し、その軸方向に形成されて衣服用ハンガーのフック部を貫通させる表示部貫通孔１１（１２）、及び柱状体の外周面に形成された表示面１２１〜１２８（２２１〜２２８）を有する表示部１０（２０）と、本体基部３１、本体基部３１に設けられた基部貫通孔３１１、本体基部３１に設けられ表示部表示部１０（２０）の外周面の少なくとも一部を覆って又は表示部表示部１０（２０）を本体基部３１に保持する保持部３２１〜３２８、及び保持部３２１〜３２８で保持された表示部の表示面に位置づけられる表示開口部３３１を有する表示装置本体部３０とを備える構成とした。【選択図】図１
2017140314.tif 000002
【特許請求の範囲】
【請求項１】
柱状体を成し、前記柱状体の軸方向に形成されて衣服用ハンガーが有するフック部を貫通させるための表示部貫通孔、及び前記柱状体の外周面に形成された複数の表示面を備えた単数または複数の表示部と、
本体基部、前記衣服用ハンガーが有するフック部を貫通させるために前記本体基部に設けられた基部貫通孔、前記本体基部に設けられ前記本体基部に載置された前記表示部の外周面の少なくとも一部を覆って又は前記本体基部に載置された前記表示部の外周面に略接して前記表示部を前記本体基部に保持する単数または複数の保持部、及び前記保持部で保持された前記表示部の１または２以上の表示面を位置づける表示開口部を備えた表示装置本体部とを備えたことを特徴とする衣服表示装置。
【請求項２】
請求項１に記載の衣服表示装置において、
前記表示装置本体部は、前記表示部が備えた前記表示部貫通孔に挿通するための、前記本体基部に立設した表示部装着筒を更に備え、
前記表示部装着筒は、その軸方向に前記衣服用ハンガーが有するフック部を貫通させるための筒部貫通孔を備えたことを特徴とする衣服表示装置。
【請求項３】
請求項１または２に記載の衣服表示装置において、
前記保持部は、前記本体基部と相対する保持先端部側に、前記本体基部に保持された前記表示部の離脱を抑制するための離脱防止手段を更に備えたことを特徴とする衣服表示装置。
【請求項４】
請求項１ないし３の何れかに記載の衣服表示装置において、
前記表示装置本体部に装着するカバー部を更に備え、
前記カバー部は、前記表示装置本体部に装着されたときに前記保持先端部側に位置づけられるカバー天板部と、少なくとも前記保持先端部側の保持部外周面を覆うために前記カバー天板部から立設したカバー周壁部と、前記衣服用ハンガーが有するフック部を貫通させるために前記カバー天板部に設けられた天板部貫通孔とを備えたことを特徴とする衣服表示装置。
【請求項５】
前記カバー周壁部は、少なくとも一部が光透過性の部材で形成された透過周壁、または少なくとも一部が開口した周壁開口を有し、前記カバー部が前記表示装置本体部に装着されたときに、前記透過周壁または前記周壁開口が前記表示開口部に位置づけられることを特徴とする請求項４に記載の衣服表示装置。
【請求項６】
衣服掛け部と、フック部とを備えた衣服用ハンガーであって、
前記フック部に請求項１ないし５のいずれかに記載の衣服表示装置を装着したことを特徴とする衣服用ハンガー。
【発明の詳細な説明】
【技術分野】
【０００１】
本発明は、衣服用ハンガーに掛けたコートやジャケットなどの形状、布地の色などの衣服の性状に関する情報を表示するための衣服表示装置、及びこの衣服表示装置を備えた衣服用ハンガーに関するものである。
【背景技術】
【０００２】
コートやジャケットなどの衣服を洋服箪笥などに保管（収納）する人は、衣服を衣服用ハンガーに掛け洋服箪笥などの内部に配置された軸材（パイプなど）に掛ける。こうして洋服箪笥などに保管された衣服は、それらの前後が略接するように収納される。
【０００３】
このような状態で保管された複数の衣服の中から、所望の衣服を取り出そうとする人は、保管された複数の衣服の側部を見ることになって、それぞれの衣服の性状、例えばシングル・ボタンなのかダブル・ボタンなのかといった形状などを即座に判別できない。
【０００４】
少数の衣服しか保管していない人は、衣服の側部を見ただけで記憶に基づき所望の衣服を即座に取り出せるかもしれないが、保管後しばらくすると記憶が薄れてしまう。多数の衣服を保管している人は、記憶に基づき所望の衣服を洋服箪笥などから取り出すことが難しい。
【０００５】
そこで衣服用ハンガーに掛けられて軸材に掛けられた多くの衣服の性状に関する情報を表示する衣服表示装置が提案された。
【０００６】
例えば特許文献１は、衣服用ハンガーのフック部に貫通させる２つの表示リング（表示部）を有する衣服表示装置を開示する。ここで表示リングは洋服のサイズを表示しており、そのうちの１つの表示リングは例えば上着のサイズを表示し、他の表示リングはズボンのサイズを表示する。
【０００７】
係る衣服表示装置は、衣服用ハンガーのフックに装着することができるから、大抵の既成の衣服用ハンガーに装着でき、またサイズの表示に替えて例えば上着の首周りの形状（丸首かＶネックかなど）やズボンの形状（例えば裾がダブルかシングルかなど）を表示することも可能である。
【０００８】
しかし表示リングは、衣服の性状に関する情報を１つしか表示することができない（仮に１つの表示リングに衣服の性状に関する複数の情報を表示すると、どの表示が正しい情報であるのか判断できない。）。そこで衣服の性状に関する多数の情報を表示しようとすると、その情報の数だけ表示リングが必要となる。
【０００９】
また特許文献２は、複数の情報（例えば上着の形状及びサイズ）を表記した表示カード（表示部）を、衣服用ハンガーの支持バーに形成されたカード収容部に装着する衣服表示装置を開示する。
【００１０】
係る衣服表示装置は、１つの表示カードに衣服の性状に関する多くの情報を表示することができるが、表示カードを衣服用ハンガーに装着するためには、衣服用ハンガーの支持バーがカード収容部を有していなければならない。すなわち係る衣服表示装置は、既製の衣服用ハンガーに使用することはできない。
【先行技術文献】
【特許文献】
【００１１】
【特許文献１】登録実用新案公報第３０６２０６６号
【特許文献２】公開特許公報平１０−１７４６４０号
【発明の概要】
【発明が解決しようとする課題】
【００１２】
そこで本発明は、小数の表示部で衣服の性状に関する多数の情報を表示することができ、通常の衣服用ハンガー（例えば既製の衣服用ハンガー）が有するフック部に装着することができ、衣服を側部側から見ることによって衣服の性状に関する情報を知ることができる衣服表示装置、及びこの衣服表示装置を装着した衣服用ハンガーの提供を課題とした。
【課題を解決するための手段】
【００１３】
上記課題を解決するために、本発明に係る衣服表示装置（請求項１）は、単数または複数の表示部及び前記表示部を保持するための表示装置本体部を備えている。
【００１４】
表示部は、略柱状体（例えば多角形の角柱、または円柱）を成し、衣服用ハンガーが有するフック部を貫通させるために表示部の軸方向に形成された表示部貫通孔と、表示部の外周面に形成された（衣服の性状に関する情報を表示するための）複数の表示面とを備えている。
【００１５】
表示装置本体部は、本体基部と、この本体基部に設けられて衣服用ハンガーが有するフック部を貫通させるための基部貫通孔と、本体基部に立設して本体基部に載置された表示部の外周面の少なくとも一部を覆って、または本体基部に載置された表示部の外周面と略接して、表示部を本体基部に保持する単数または複数の保持部と、本体基部に保持された表示部の１または２以上の表示面を位置づける表示開口部とを備えている。
【００１６】
該衣服表示装置が備えた表示装置本体部は本体基部に立設した表示部装着筒を更に備えてもよい（請求項２）。この表示部装着筒は、表示部が備えた表示部貫通孔に挿通され、また衣服用ハンガーが有するフック部を貫通させるための筒部貫通孔を備えている。筒部貫通孔は例えば本体基部の基部貫通孔と略同軸に位置づけられる。
【００１７】
該衣服表示装置が備えた表示装置本体部の保持部は、本体基部と相対する保持先端部側に、本体基部に保持された表示部の離脱を抑制するための離脱防止手段を更に備えてもよい（請求項３）。
【００１８】
該衣服表示装置は、表示装置本体部に装着するためのカバー部を更に備え、カバー部は、表示装置本体部に装着されると保持先端部側に位置づけられるカバー天板部と、少なくとも保持先端部側を覆うためにカバー天板部から立設したカバー周壁部と、衣服用ハンガーが有するフック部を貫通させるためにカバー天板部に設けられた天板部貫通孔を備えている（請求項４）。
【００１９】
該衣服表示装置が備えたカバー部のカバー周壁部は、少なくとも一部が光透過性の部材で形成された透過周壁、または少なくとも一部が開口した周壁開口を有し、カバー部が表示装置本体部に装着されたときに、透過周壁または周壁開口が表示装置本体部の表示開口部に位置づけられる（請求項５）。
【００２０】
前記課題を解決するために、本発明に係る衣服用ハンガー（請求項６）は、衣服掛け部及びフック部を備え、本発明に係る衣服表示装置をフック部に装着した構成を有する。
【発明の効果】
【００２１】
上記構成を有する本発明に係る衣服表示装置は、小数の表示部で衣服の性状に関する多数の情報を表示することができ、通常の衣服用ハンガー（既製の衣服用ハンガー）が有するフック部に装着することができ、衣服用ハンガーのフック部に装着された表示装置本体部及び表示部を回動等させることで表示開口部を衣服の側部側に位置づけることができる（衣服の側部側から衣服の性状に関する情報を見ることができる。）。
【００２２】
該衣服表示装置を装着した本発明に係る衣服用ハンガーも同様に衣服の側部側から衣服の性状に関する情報を見ることができる。
【図面の簡単な説明】
【００２３】
【図１】本発明に係る衣服表示装置の一実施例（実施例１）における概略構成を示す図である。
【図２】図１に示す衣服表示装置の第１表示部が備えた８つの表示面に表示される衣服の性状に関する情報の例示した図である。
【図３】図１に示す衣服表示装置の第２表示部が備えた８つの表示面に表示される衣服の性状に関する情報の例示した図である。
【図４】図１に示す衣服表示装置が備えた表示装置本体部の概略構成を示す図である（同図（ａ）は平面図、同図（ｂ）は正面図）。
【図５】図１に示す衣服表示装置において、第１表示部及び第２表示部を装着した表示装置本体部に更にカバーを装着した場合の概略正面構成を示す図である。
【図６】図１に示す衣服表示装置を衣服用ハンガーに装着したときの概略構成を示す図である。
【図７】本発明に係る衣服表示装置の他の実施例（実施例２）における概略構成を示す図である。
【図８】図７に示す衣服表示装置が備えた表示装置本体部の概略構成を示す図である（同図（ａ）は平面図、同図（ｂ）は正面図）。
【図９】図７に示す衣服表示装置において、第１表示部及び第２表示部を装着した表示装置本体部に更にカバーを装着した場合の概略正面構成を示す図である。
【発明を実施するための形態】
【００２４】
以下、図面を参照して、本発明に係る衣服表示装置及び衣服用ハンガーについて説明する。
【実施例１】
【００２５】
図１は本発明に係る衣服表示装置の一実施例（衣服表示装置１Ａ）の概略構成を示す図であり、衣服表示装置１Ａは、２つの表示部（第１表示部１０及び第２表示部２０）、表示装置本体部３０、及びカバー部４０を有する。
【００２６】
＜表示部＞
第１表示部１０及び第２表示部２０は何れも同一の断面形状（八角形）を有する八角柱状体（柱状体）を成し、第１表示部１０は第２表示部２０よりも高さが高い。
【００２７】
第１表示部１０は、その中心軸と同軸に形成された表示部貫通孔１１（断面が例えば円形）及び柱状体の外周面に形成された８つの表示面（表示面１２１、１２２、・・・１２８）を有し、その上端は第１表示部上端１０ｔであり、下端は第１表示部下端１０ｂである。第１表示部１０の表示部貫通孔１１には、衣服用ハンガーが有するフック部（フック）を貫通させることができる。
【００２８】
第１表示部１０の８つの表示面には、図２に示すように例えばシャツの前合わせが表示されている。例えば、表示面１２１にはプルオーバー（無地）が、表示面１２２には女性用のハーフ・ボタンが、表示面１２３には男性用のハーフ・ボタンが、表示面１２４にはハーフ・ジッパーが、表示面１２５には女性用のシングル・ボタンが、表示面１２６にはシングル・ジッパーが、表示面１２７には女性用のダブル・ボタンが、そして表示面１２８には女性用のシングル・ジッパーが、それぞれ模式的に表示されている。もちろん表示面１２１〜１２８における表示は、第１表示部上端１０ｔ側が上となるように表示されている。
【００２９】
ここで表示面１２５の女性用のシングル・ボタンの表示は、左右の重ね合わせを逆に変更することで男性用のシングル・ボタンの表示とすることができる。また表示面１２７の女性用のダブル・ボタンは、ボタン及び重ね合わせの位置を図２中の左側に変更することで男性用のダブル・ボタンの表示とすることができ、そして表示面１２８の女性用のシングル・ジッパーも同様の表示変更ができる。
【００３０】
図１に示すように第２表示部２０も、第１表示部１０と同様に、表示部貫通孔２１、８つの表示面（表示面２２１、２２２、・・・２２８）、第２表示部上端２０ｔ、及び第２表示部下端２０ｂを有する。第２表示部２０の表示部貫通孔２１は、第１表示部１０の表示部貫通孔１１と例えば同じ断面形状を有し、もちろん衣服用ハンガーが有するフック部を貫通させることができる。
【００３１】
図３に示すように第２表示部２０の８つの表示面には、例えばシャツの襟の形状が８通り表示されている。ここで表示面２２１には無地が、表示面２２２には丸首が、表示面２２３にはＶネックが、表示面２２４にはハイネックが、表示面２２５にはスタンダードが、表示面２２６にはノッチドラペルが、表示面２２７にはタキシードカラーが、そして表示面２２８にフードが、それぞれ模式的に表示されている。
【００３２】
＜表示装置本体部＞
図１、図４（ａ）及び図４（ｂ）に示すように表示装置本体部３０は、本体基部３１、本体基部３１に設けられた基部貫通孔３１１、本体基部３１の上面に立設した４つの保持部（保持部３２１、３２２、３２３、３２４）を有する。保持部３２１〜３２４は、本体基部３１の上面側から見て、反時計回りに保持部３２１、３２２、３２３、３２４の順に配置されており、保持部３２１と保持部３２２との間には、表示開口部３３１が、保持部３２２と保持部３２３との間には表示開口部３３２が、保持部３２３と保持部３２４との間には表示開口部３３３が、そして保持部３２４と保持部３２１との間には表示開口部３３４がそれぞれ開口している。
【００３３】
本体基部３１は略正方形状の平板であり、その一辺の長さは、第１表示部１０の相対する２つの表示面の間隔（例えば表示面１２１と表示面１２５との間隔）より若干長い。
【００３４】
保持部３２１は、第１表示部１０の高さ及び第２表示部２０の高さの合計高さよりも若干高く、断面形状が直角二等辺三角形状を有する三角柱状体である。保持部３２１の三角柱状体のコーナー（直角二等辺三角形の頂点）は本体基部３１のコーナー上に位置づけられ、直角二等辺三角形の等辺に対応した保持部３２１の２つの外面３２１ａ、外面３２１ｂは本体基部３１の辺部に位置づけられ、そして直角二等辺三角形の底辺に対応した保持部３２１の内面３２１ｃは基部貫通孔３１１側に位置づけられている。内面３２１ｃの幅は、第１表示部１０の８つの表示面（例えば表示面１２１）の幅と略同一である。
【００３５】
保持部３２１の保持先端部３２１ｔは、本体基部３１と相対する側の端部側に位置づけられている。そして保持先端部３２１ｔにおける内面３２１ｃ側には、表示部の離脱を防止する離脱防止手段３２１ｓが僅かに突出している（離脱防止手段３２１ｓは例えば弾性を有する突起または舌片である。）。同様に、保持部３２２の保持先端部３２２ｔには離脱防止手段３２２ｓが、保持部３２３の保持先端部３２３ｔには離脱防止手段３２３ｓが、保持部３２４の保持先端部３２４ｔには離脱防止手段３２４ｓがそれぞれ突出している。
【００３６】
表示装置本体部３０の本体基部３１と相対する側（保持部３２１の保持先端部３２１ｔ側）には、表示部挿入開口部３４が形成されている。表示部挿入開口部３４を平面視したときの形状は、第１表示部１０及び第２表示部２０の断面形状より若干大きい略正八角形状である。
【００３７】
＜表示部の表示装置本体部への装着＞
表示装置本体部３０の表示部挿入開口部３４は第１表示部１０及び第２表示部２０の断面形状より若干大きい略正八角形状だから、表示装置本体部３０は、表示部挿入開口部３４から第１表示部１０及び第２表示部２０を装着することができる（表示装置本体部３０の本体基部３１上に、保持部３２１〜３２４で囲むように第１表示部１０及び第２表示部２０を載置することができる。）。
【００３８】
第１表示部１０及び第２表示部２０の装着の際に、表示装置本体部８０の所定の表示開口部（例えば表示開口部３３１）に、第１表示部１０及び第２表示部２０の所望の表示面（例えば表示面１２３（男性用のハーフ・ボタン）及び表示面２２３（Ｖネック））を位置づけることができる（表示することができる。）。
【００３９】
ここで表示装置本体部３０の表示開口部３３１に位置づけられる第１表示部１０及び第２表示部２０の表示面の組合せは６４通りである。すなわち衣服表示装置１Ａは、２つの表示部だけで６４通りの衣服の性状に関する情報を表示することができる。こうした表示面の多数の組合せは、第１表示部１０及び第２表示部２０が八角柱状体（柱状体）であることで可能となる。
【００４０】
こうして表示装置本体部３０に装着された第１表示部１０及び第２表示部２０は、第２表示部２０の第２表示部上端２０ｔが保持部３２１〜３２４の離脱防止手段３２１ｓ〜３２４ｓによって押えられるため、表示装置本体部３０からの離脱が防止される。
【００４１】
＜カバー部＞
図１に示すカバー部４０は、本体基部３１より若干大きい略正方形状を成す天板部４１、天板部４１の中央部に形成された円形の天板部貫通孔４１１、及び天板部４１の４つの辺部に立設した４つのカバー周壁（カバー周壁４２１、４２２、４２３及び４２４）を有し、天板部４１と相対する側は開口している。カバー周壁４２１〜４２４は、保持部３２１〜３２４より若干高い（または略同一高である。）。カバー周壁４２１は光透過性の部材で形成された透過周壁であり、それ以外のカバー周壁４２２、４２３及び４２４は光透過性を有しない部材で形成された非透過周壁である。
【００４２】
係る構成を有するカバー部４０は、開口側から表示装置本体部３０を挿入することができる（カバー部４０を表示装置本体部３０に被せることができる。）。このとき、カバー部４０のカバー周壁４２１を例えば、表示装置本体部３０の表示開口部３３１に位置づけると、表示開口部３３１に位置づけられた第１表示部１０及び第２表示部２０の表示面（例えば表示面１２３（男性用のハーフ・ボタン）及び表示面２２３（Ｖネック））だけを、カバー周壁４２１を透して見ることができる（図５）。
【００４３】
ここで表示装置本体部３０の保持部３２１の外面３２１ａに、上着の向って左側の輪郭を左輪郭表示３２１ｄとして表示してあれば、また保持部３２２の外面３２２ｂに、上着の向って右側の輪郭を右輪郭表示３２２ｄとして表示してあれば、衣服の性状に関する情報をより直感的に表示することができる。
【００４４】
＜衣服表示装置の変形例＞
本発明に係る衣服表示装置は、単数または複数の表示部を表示装置本体部の本体基部に載置し、表示装置本体部の保持部によって表示部の外周面の一部を覆う一方、保持部の間に形成された所定の開口部に表示部の任意の表示面を位置づけることができ、且つ衣服用ハンガーのフック部を貫通することができればよいのであって、係る趣旨を変更することなく適宜変形することができる。
【００４５】
例えば、衣服表示装置１Ａは、保持部の離脱防止手段を有しなくてもよい。この場合には、表示装置本体部にカバーを装着することで、第１表示部及び第２表示部が表示装置本体部から離脱することを防止してもよい。
【００４６】
またカバー部は、カバー周壁の１つが、その一部または全部が開口した周壁開口となっているものでもよい（この場合には、カバー周壁をすべて非透過周壁とすることができる。）。このように構成されたカバー部は、周壁開口を表示装置本体部の例えば表示開口部の１つに位置づけることで、周壁開口の領域に第１表示部及び第２表示部の任意の表示面を表示することができる。
【００４７】
また、表示装置本体部が有する複数の表示開口部の何れかを壁部で塞いでもよい。例えば３つの表示開口部を塞いだ衣服表示装置の場合には（表示開口部が１つだけの場合には）、第１表示部の例えば男性用のハーフ・ボタン表示と第２表示部の例えばＶネック表示だけを表示開口部に位置づけることで、衣服の性状表示が可能となる。
【００４８】
このように表示開口部が１つの衣服表示装置の場合には、カバーを用いなくてもよく、あるいは４つのカバー周壁のすべてが保持部より充分低くてもよい（例えば、４つのカバー周壁で保持部の保持先端部の近傍だけを覆って、カバー部で表示装置本体部の表示部挿入開口部側を塞ぐだけでもよい。
【００４９】
更に表示すべき衣服の性状の数が少ない場合には、例えば表示部は１つであってもよい。衣服表示装置１Ａにおいて表示部を第１表示部だけとしても、衣服の性状を８通り表示することができる。もちろん表示すべき衣服の性状の数が多い場合には、表示部を増やせばよい。
【００５０】
もちろん衣服表示装置１Ａは、保持部の間に形成された所定の開口部に表示部の任意の表示面を位置づけることができれば、単数または複数の表示部は八角柱状体に限定されず、また表示部の断面形状は多角形に限定されず円形であってもよい。
【００５１】
＜衣服用ハンガー＞
次に本発明に係る衣服用ハンガーについて説明する。図６に示す衣服用ハンガー５０は、衣服掛け部５１及びフック部５２を備え、さらにフック部５２に衣服表示装置として衣服表示装置１Ａを装着したものである。衣服掛け部５１は衣服を掛けるためのものであり、例えば上着の肩の部分を掛けるための略への字形状を成した第１掛け部５１１と、例えばズボンなどをかけるための第２掛け部５１２を備えている。
【００５２】
フック部５２は、衣服用ハンガー５０を洋服箪笥などの内部に配置された軸材（パイプなど）に掛けるためのものであり、その上端側５２ｔは略鉤型を成し、その下端５２ｂ側は、例えば第１掛け部５１１の中央部に形成されたフック部挿通孔５１３に挿通等されている。フック部５２の下端５２ｂは、フック部挿通孔５１３からの抜け止であり、フック部挿通孔５１３より大きい直径を有する。
【００５３】
衣服表示装置１Ａは、第１表示部１０の表示部貫通孔１１、第２表示部２０の表示部貫通孔２１、本体基部３１の基部貫通孔３１１、及びカバー部４０の天板部貫通孔４１１のそれぞれの内径はフック部５２の太さよりも大きい。従って、表示装置本体部３０の基部貫通孔３１１等に衣服用ハンガー５０のフック部５２を貫通させることで、図６に示すように第１掛け部５１１の略への字形状の頂点部５１１ｔに衣服表示装置１Ａを載置することができる。
【００５４】
こうして衣服用ハンガー５０に装着された衣服表示装置１Ａは、表示装置本体部３０の基部貫通孔３１１等の内径がフック部５２の太さよりも大きく、フック部５２において回動可能であるから、表示装置本体部３０の所定の表示開口部(例えば表示開口部３３１)を衣服の側部側に位置づけることができる（衣服の側部側に衣服の性状情報を表示することができる。）。
【００５５】
衣服用ハンガー５０は、衣服掛け部５１とフック部５２とが一体的に形成されたものであってもよく、フック部５２は、第１表示部１０の表示部貫通孔１１等に貫通可能であれば、その形状は任意である。
【実施例２】
【００５６】
次に、本発明に係る衣服表示装置の他の実施例（衣服表示装置１Ｂ）について説明する。衣服表示装置１Ａと同様の機能を有する構成要素については同一の名称を付し、それらの説明を省略し、または相違点の説明にとどめる。
【００５７】
図７は衣服表示装置１Ｂの概略構成を示す図であり、衣服表示装置１Ｂは、第１表示部６０、第２表示部７０、表示装置本体部８０及びカバー部９０を有する。
【００５８】
＜表示部＞
第１表示部６０及び第２表示部７０は同一直径の円柱状体（柱状体）を成す。第１表示部６０は、その中心軸と同軸に形成された表示部貫通孔６１（断面は正八角形状）、及び円柱状体の外周面に８つの表示面（表示面６２１、６２２、・・・６２８）を有し、その上端は第１表示部上端６０ｔであり、その下端は第１表示部下端６０ｂである。ここで表示面６２１〜６２８は表示部貫通孔６１の８つの面の何れかと正対している。
【００５９】
第２表示部７０も第１表示部６０と同様に、表示部貫通孔７１、８つの表示面（表示面７２１、７２２、・・・７２８）、第２表示部上端７０ｔ、及び第２表示部下端７０ｂを有する。
【００６０】
＜表示装置本体部＞
図７、図８（ａ）及び図８（ｂ）に示すように表示装置本体部８０は、本体基部８１、本体基部８１の中央部形成された基部貫通孔８１１、本体基部８１の上面の外周近傍に立設した４つ保持部（保持部８２１、８２２、８２３、８２４）及び本体基部８１の上面中央部に立設した表示部装着筒８５を有し、各保持部の間には表示開口部８３１、８３２、８３３、８３４がそれぞれ開口している。
【００６１】
本体基部８１は円形状の平板であり、その直径は第１表示部６０及び第２表示部７０の直径より若干大きい。
【００６２】
保持部８２１は、本体基部８１の外周と略同一の曲率を有する曲面の板材で形成され、本体基部８１の円周の略８分の１の幅（例えば第１表示部６０の表示面６２１と略同一幅）を有し、その外側は外面８２１ａである。保持部８２１の保持先端部８２１ｔには、表示部の離脱を防止する離脱防止手段８２１ｓが形成されている。保持部８２２、８２３、８２４も同様である。
【００６３】
本体基部８１と相対する側には、表示部挿入開口部８４が形成されている。表示部挿入開口部８４を平面視したときの形状は、第１表示部６０及び第２表示部７０の断面形状より若干大きい略円形状である。
【００６４】
表示部装着筒８５は、その内側に筒部貫通孔８５１が形成されており、筒部貫通孔８５１と本体基部８１の基部貫通孔８１１とは略同軸に配置され且つ連通している。筒部貫通孔８５１の形状は、典型的には第１表示部６０の表示部貫通孔６１と相似であるが、この形状に限定されない。
【００６５】
表示部装着筒８５の高さは、典型的には保持部８２１〜８２４より若干高いが、この高さに限定されない。表示部装着筒８５は、衣服表示装置１Ｂに装着された表示部のすべての表示部貫通孔に挿通することができればよく、例えば第１表示部６０が第２表示部７０より高い場合には、表示部装着筒８５の高さは第１表示部６０よりも若干高ければよい。
【００６６】
表示部装着筒８５の外面側の断面形状は、第１表示部６０の表示部貫通孔６１（及び第２表示部７０の表示部貫通孔７１）より若干小さい正八角形状である。表示部装着筒８５の８つの外面は、保持部８２１、８２２、８２３、８２４、表示開口部８３１、８３２、８３３及び８３４の何れかと正対している（すなわち表示部装着筒８５の１つの外面は表示開口部８３１と正対している。）。
【００６７】
表示部装着筒８５の筒部貫通孔８５１は、衣服用ハンガー５０が有するハンガーフック部５２の断面形状よりも大きい孔形状を有するものであれば良く、その孔形状は任意である（本体基部８１の基部貫通孔８１１も同様である。）。
【００６８】
＜表示部の表示装置本体部への装着＞
表示装置本体部８０の表示部挿入開口部８４は第１表示部６０及び第２表示部７０の断面形状より若干大きい円形状だから、表示装置本体部８０の本体基部８１上に、保持部８２１〜８２４で囲むように第１表示部６０及び第２表示部７０を載置（装着）することができる。装着は、表示装置本体部８０の表示部装着筒８５を、第１表示部６０の表示部貫通孔６１及び第２表示部７０の表示部貫通孔７１に挿通させて行う。
【００６９】
ここで表示装置本体部８０の所定の表示開口部（例えば表示開口部８３１）は表示部装着筒８５の１つの外面と正対し、また第１表示部６０の表示面６２１〜６２８は表示部貫通孔６１の８つの面の何れかと正対している（第２表示部７０も同様）。従って、表示装置本体部８０の表示部装着筒８５を挿通した第１表示部６０は、その１つの表示面が表示装置本体部８０の所定の表示開口部に位置づけられる（第２表示部７０の表示面も同様）。
【００７０】
すなわち、表示装置本体部８０の所定の表示開口部（例えば表示開口部８３１）に、第１表示部６０及び第２表示部７０の所望の表示面（例えば表示面６２３及び表示面７２３）を位置づけることができる（表示することができる。）。
【００７１】
保持部８２１〜８２４の離脱防止手段８２１ｓ〜８２４ｓは、第１表示部６０及び第２表示部７０の表示装置本体部８０からの離脱を防止する。
【００７２】
＜カバー部＞
図７に示すカバー部９０は、本体基部８１よりも直径が若干大きい天板部９１、天板部９１の中央部に形成された天板部貫通孔９１１（その孔形状は典型的には表示部装着筒８５の外面側の断面形状（正八角形状）と略同一形状だが、この形状に限定されない）、及び天板部９１の円周部に立設したカバー周壁９２１を有している。
【００７３】
カバー周壁９２１は保持部８２１〜８２４より若干高く（または略同一の高さであり）、天板部９１と相対する側は開口している。係る構成を有するカバー部９０は、開口側に表示装置本体部８０を挿入することができる（表示装置本体部８０にカバー部９０を被せることができる。）。
【００７４】
カバー周壁９２１は、正八角形状の天板部貫通孔９１１の１つの辺と正対し且つ円周方向の略四分の一の幅を有する領域が光透過性の部材で形成された透過周壁９２１ｃとなっている。カバー周壁９２１の透過周壁９２１ｃ以外の領域は光透過性を有しない部材で形成された非透過周壁９２１ｂとなっている。
【００７５】
従って、表示部装着筒８５が保持部８２１〜８２４よりも若干高く形成されていれば、カバー部９０を表示装置本体部８０にかぶせるときに、表示部装着筒８５が天板部貫通孔９１１に挿通され、本体基部８１の表示開口部８３１、８３２、８３３、８３４の何れかにカバー部９０の透過周壁９２１ｃを位置づけることができる。
【００７６】
例えば、カバー部９０の透過周壁９２１ｃを表示装置本体部８０の表示開口部８３１に位置づけることで、図９に示すように、表示装置本体部８０の表示開口部８３１に位置づけられた第１表示部６０の例えば表示面６２３（男性用のハーフ・ボタン）及び第２表示部７０の例えば表示面７２３（Ｖネック）だけを、透過周壁９２１ｃを透して見ることができる。
【００７７】
ここで保持部８２１の外面８２１ａに、上着の向って左側の輪郭を左輪郭表示８２１ｄとして表示してあれば、また保持部８２２の外面８２２ｂに、上着の向って右側の輪郭を右輪郭表示８２２ｄとして表示してあれば、衣服の性状に関する情報をより直感的に表示することができる。
【００７８】
＜表示装置本体部のハンガーへの装着＞
衣服表示装置１Ｂの衣服用ハンガー５０への装着は、衣服表示装置１Ａと同様に行うことができる。
【００７９】
＜衣服表示装置の変形例＞
衣服表示装置１Ｂは、衣服表示装置１Ａと同様に、その趣旨を変更することなく適宜変形することができる。
【００８０】
例えば、衣服表示装置１Ｂは保持部の離脱防止手段を有しなくてもよい。またカバー部は、その一部に開口した周壁開口を有するものであってもよい。このように構成されたカバー部は、周壁開口を表示装置本体部の１つの表示開口部に位置づけることができる（この場合、カバー周壁は非透過周壁でよい。）。
【００８１】
また表示装置本体部が有する複数の表示開口部の何れかを壁部で塞いでもよい。例えば３つの表示開口部を塞いで、１つの表示開口部だけで衣服の性状を表示してもよい。表示開口部を１つとした場合には、カバーを用いなくてもよく、あるいはカバー周壁を保持部より充分低くしてもよい。
【００８２】
表示装置本体部の表示部装着筒は保持部の高さより低くてもよい。この場合には、表示部装着筒は天板部貫通孔に挿通されない。従って、カバー部を表示装置本体部に装着した後であっても、カバー部を回転させることができ、透過周壁（または周壁開口）を本体基部の任意の表示開口部に位置づけることができる。
【産業上の利用可能性】
【００８３】
本発明に係る衣服表示装置及び衣服用ハンガーは、工業的に製造等することができ、また商業的に取引することができるから、本発明は経済的価値を有して、産業上利用することができる発明である。
【符号の説明】
【００８４】
１Ａ、１Ｂ  衣服表示装置
１０、６０  第１表示部
１１、６１  第１表示部の表示部貫通孔、
１２１〜１２８、６２１〜６２８  第１表示部の表示面
２０、７０  第２表示部
２１、７１  第２表示部の表示部貫通孔、
２２１〜２２８、７２１〜７２８  第２表示部の表示面
３１、８１  本体基部
３１１、８１１  基部貫通孔
３２１〜３２４、８２１〜８２４  保持部
３３１〜３３４、８３１〜８３４  表示開口部
３２１ｔ〜３２４ｔ、８２１ｔ〜８２４ｔ  保持先端部
３２１ｓ〜３２４ｓ、８２１ｓ〜８２４ｓ  離脱防止手段
４０、９０  カバー部
４１、９１  カバー天板部
４２２〜４２４、９２１  カバー周壁部
４２１、９２１ｃ  透過周壁（カバー周壁部）
５０  衣服用ハンガー
５１  衣服掛け部
５２  フック部
８５  表示部装着筒
８５１  筒部貫通孔
【図１】
2017140314.tif 000003
【図２】
2017140314.tif 000004
【図３】
2017140314.tif 000005
【図４】
2017140314.tif 000006
【図５】
2017140314.tif 000007
【図６】
2017140314.tif 000008
【図７】
2017140314.tif 000009
【図８】
2017140314.tif 000010
【図９】
2017140314.tif 000011